(57)【要約】【課題】部品点数の増加を抑制することが可能な、照明装置を提供する。【解決手段】器具本体１０と、発光ユニット２０と、カバー部３０と、締結部材４０を備える照明装置２であり、器具本体１０は、長尺状の底面部１２と、底面部１２の長辺にそれぞれ連続する二つの側面部１４と、側面部１４の底面部１２の長辺と連続する側の端部と反対側の端部から突出する突出部１６を含み、カバー部３０は、発光素子２２が出射した光が透過する透光部３２と、透光部３２を支持し、且つ器具本体１０に取り付けられる二つの取付部３４を含み、底面部１２は居室外の空間に配置され、突出部１６は居室側の表面と接触して居室内の空間に配置され、二つの取付部３４は、二つの側面部１４のそれぞれに一つずつ固定され、透光部３２は居室内の空間に配置され、締結部材４０は、発光ユニット２０とカバー部３０とを締結する。【選択図】図３
2016131101.tif 000002
【特許請求の範囲】
【請求項１】
器具本体と、
前記器具本体に取り付けられ、且つ少なくとも主出射方向へ光を出射可能な発光素子を含む発光ユニットと、
前記器具本体に取り付けられて前記発光素子を覆うカバー部と、
前記発光ユニットと前記カバー部とを締結する締結部材と、を含み、
前記器具本体は、長尺状の底面部と、前記底面部の長辺にそれぞれ連続する二つの側面部と、前記側面部の前記底面部の長辺と連続する側の端部と反対側の端部から突出する突出部と、を含み、
前記発光ユニットは、前記発光素子が設けられた素子基板が取り付けられる素子基板取付部材と、前記素子基板取付部材を支持し、且つ前記カバー部に取り付けられる二つの基板支持部と、を含み、
前記カバー部は、前記発光素子が出射した光が透過する透光部と、前記透光部を支持し、且つ前記器具本体に取り付けられる二つの取付部と、を含み、
前記底面部は、造営材が形成する居室外の空間に配置され、
前記突出部は、前記造営材の前記居室側の表面と接触して居室内の空間に配置され、
前記透光部は、前記居室内の空間に配置され、
前記二つの取付部は、前記二つの側面部のそれぞれに一つずつ固定され、
前記締結部材は、前記取付部のうち前記居室内の空間に配置された部分と、前記基板支持部のうち前記取付部と対向する部分と、を締結する照明装置。
【請求項２】
前記締結部材を、ねじで形成した請求項１に記載した照明装置。
【請求項３】
前記基板支持部のうち前記取付部と対向する部分と前記素子基板取付部材との間に空隙部を形成し、
前記締結部材を、前記空隙部内に配置した請求項１または請求項２に記載した照明装置。
【請求項４】
前記素子基板取付部材は、長尺状であり、
前記基板支持部は、前記素子基板取付部材の長辺に連続し、且つ前記底面部から離れる方向へ延在する側壁部と、前記取付部と対向する外側対向部と、前記側壁部と前記外側対向部とを連結し、且つ前記側壁部から前記外側対向部へ向かうにつれて前記底面部から離れる方向へ傾斜する傾斜連結部と、をさらに含む請求項１から請求項３のうちいずれか１項に記載した照明装置。
【請求項５】
前記カバー部を、白色に形成した請求項１から請求項４のうちいずれか１項に記載した照明装置。
【請求項６】
前記カバー部のうち少なくとも前記透光部は、光拡散性を有する請求項５に記載した照明装置。
【請求項７】
前記発光素子は、ＬＥＤ素子である請求項１から請求項６のうちいずれか１項に記載した照明装置。
【発明の詳細な説明】
【技術分野】
【０００１】
本発明は、例えば、居室の天井等に設置する照明装置に関する。
【背景技術】
【０００２】
居室の天井等に設置する照明装置として、例えば、特許文献１に開示されているように、天井に設置される器具本体に、発光素子を有する基板を取り付けた取付部材を固定している。そして、取付部材に設けた突起部と、発光素子を覆うカバー部に設けた引掛部とを係合させて、取付部材にカバー部を固定している。
【先行技術文献】
【特許文献】
【０００３】
【特許文献１】特開２０１４−１７９２１０号公報
【発明の概要】
【発明が解決しようとする課題】
【０００４】
しかしながら、特許文献１に記載されている技術では、取付部材に設けた突起部と、カバー部に設けた引掛部とを係合させて、取付部材にカバー部を固定しているため、突起部や引掛部の寸法誤差等により、突起部と引掛部が十分に係合しない場合がある。このため、カバー部が脱落するという問題点があった。
本発明の課題は、カバー部の脱落を防止することが可能な、照明装置を提供することである。
【課題を解決するための手段】
【０００５】
上記課題を解決するために、本発明の一態様に係る照明装置は、器具本体と、器具本体に取り付けられ、且つ少なくとも主出射方向へ光を出射可能な発光素子を含む発光ユニットと、器具本体に取り付けられて発光素子を覆うカバー部と、発光ユニットと前記カバー部とを締結する締結部材と、を含み、器具本体は、長尺状の底面部と、底面部の長辺にそれぞれ連続する二つの側面部と、側面部の底面部の長辺と連続する側の端部と反対側の端部から突出する突出部と、を含み、発光ユニットは、発光素子が設けられた素子基板が取り付けられる素子基板取付部材と、素子基板取付部材を支持し、且つカバー部に取り付けられる二つの基板支持部と、を含み、カバー部は、発光素子が出射した光が透過する透光部と、透光部を支持し、且つ器具本体に取り付けられる二つの取付部と、を含み、底面部は、造営材が形成する居室外の空間に配置され、突出部は、造営材の居室側の表面と接触して居室内の空間に配置され、二つの取付部は、二つの側面部のそれぞれに一つずつ固定され、透光部は、居室内の空間に配置され、締結部材は、取付部のうち居室内の空間に配置された部分と、基板支持部のうち取付部と対向する部分と、を締結する。
【発明の効果】
【０００６】
本発明の一態様によれば、発光ユニットとカバー部を、締結部材を用いて締結した状態で、器具本体に取り付けるため、発光ユニットからのカバー部の脱落を防止することが可能な、照明装置を提供することが可能となる。
【図面の簡単な説明】
【０００７】
【図１】本発明の第一実施形態における、照明機器の構成を示す斜視図である。
【図２】本発明の第一実施形態における、照明機器の構成を示す平面図である。
【図３】図２のＩＩＩ−ＩＩＩ線断面図である。
【図４】図２のＩＶ−ＩＶ線断面図である。
【図５】照明機器の設置状態を示す断面図である。
【発明を実施するための形態】
【０００８】
以下の詳細な説明では、本発明の実施形態について、完全な理解を提供するように、特定の細部について記載する。しかしながら、かかる特定の細部が無くとも、一つ以上の実施形態が実施可能であることは明確である。また、図面を簡潔なものとするために、周知の構造及び装置を、略図で示す場合がある。
【０００９】
（第一実施形態）
以下、本発明の第一実施形態について、図面を参照しつつ説明する。
（照明機器の構成）
図１及び図２を用いて、照明機器１の構成について説明する。
照明機器１は、被取付面に設けられた取付孔（図示せず）内に一部が埋め込まれて設置される装置である。
なお、被取付面とは、建築物を形成するための造営材が形成する居室の表面である。
第一実施形態では、一例として、被取付面を、天井材の居室側の表面（天井面）とした場合について説明する。すなわち、第一実施形態では、一例として、照明機器１を、居室の天井照明として用いた場合について説明する。
【００１０】
したがって、図１中には、照明機器１が天井に埋め込まれて取り付けられる場合に、最初に天井と対向する方向を、上下方向の「上方」と示し、床方向を、上下方向の「下方」と示す。なお、以降の説明でも、照明機器１が天井に埋め込まれて取り付けられる場合に、最初に天井と対向する方向を、上下方向の「上方」と記載する場合がある。同様に、床方向を、上下方向の「下方」と記載する場合がある。また、以降の説明で用いる図中においても、同様に、「上下方向」、「上方」、「下方」を示す場合がある。
図１及び図２中に示すように、照明機器１は、複数の照明装置２を、底面部１２の長手方向に複数連結して構成されている。なお、底面部１２の説明は、後述する。
【００１１】
なお、第一実施形態では、一例として、照明機器１を、三個の照明装置２を連結して構成した場合について説明する。
また、図１及び図２中では、三個の照明装置２のうち、中心に配置した照明装置２を「２Ｃ」と示し、照明機器１の一方（図１中では、左方）に配置した照明装置２を「２Ｌ」と示し、照明機器１の他方（図１中では、右方）に配置した照明装置２を「２Ｒ」と示す。なお、以降の説明でも、各照明装置２を、「照明装置２Ｃ」、「照明装置２Ｌ」、「照明装置２Ｒ」と記載する場合がある。また、図２中では、説明のために、三個の照明装置２のうち、照明装置２Ｃと照明装置２Ｌのみを示している。また、図２中では、説明のために、照明装置２Ｌが備える補強板５０の図示を省略している。なお、補強板５０の説明は、後述する。
【００１２】
照明装置２Ｌと、照明装置２Ｒは、それぞれ、一つの側端カバー４を備えている。すなわち、照明機器１は、二つの側端カバー４を備えている。なお、図１中では、照明装置２Ｌが備える側端カバー４を、「４Ｌ」と示し、照明装置２Ｒが備える側端カバー４を、「４Ｒ」と示す。また、以降の説明でも、各側端カバー４を、「側端カバー４Ｌ」、「側端カバー４Ｒ」と記載する場合がある。
側端カバー４Ｌは、照明装置２Ｌが備える器具本体１０の開口を覆う部材である。同様に、側端カバー４Ｒは、照明装置２Ｒが備える器具本体１０の開口を覆う部材である。なお、器具本体１０の説明は、後述する。また、連結された照明装置２が備える器具本体１０の開口は、同一形状で開口している。すなわち、連結された器具本体１０の底面部１２の長手方向に沿った両端は、同一形状で開口している。
【００１３】
したがって、二つの側端カバー４は、底面部１２の長手方向に沿って照明機器１の両端に配置された照明装置２（照明装置２Ｌ、照明装置２Ｒ）が備える、照明機器１の両端側に位置する器具本体１０の開口を覆う。
また、側端カバー４は、鍔部６を備える。
鍔部６は、側端カバー４が、照明機器１の両端側に位置する器具本体１０の開口を覆う状態で、底面部１２の長手方向に沿った照明機器１の両端から突出するとともに、造営材の居室側の表面と接触して、居室内の空間に配置されている。
なお、第一実施形態では、一例として、側端カバー４のうち少なくとも鍔部６を、白色に形成した場合について説明する。
【００１４】
（照明装置２の構成）
図１及び図２を参照しつつ、図３から図５を用いて、照明装置２の構成について説明する。
図３中に示すように、照明装置２は、器具本体１０と、発光ユニット２０と、カバー部３０と、締結部材４０と、補強板５０を備えている。
【００１５】
器具本体１０は、底面部１２と、二つの側面部１４と、二つの突出部１６を備える。なお、第一実施形態の器具本体１０は、上述したように、照明装置用の器具本体（照明装置用器具本体１０）である。
底面部１２は、長尺状に形成された平面であり、造営材（以降の説明では、「天井板Ｂ」と記載する場合がある）が形成する居室外の空間に配置されている。第一実施形態では、照明機器１を、居室の天井照明として用いているため、底面部１２は、天井裏の空間（以降の説明では、「天井空間」と記載する場合がある）に配置されている。
【００１６】
また、底面部１２には、補強板連結ボルト孔１２１が設けられている。
補強板連結ボルト孔１２１は、底面部１２を貫通する貫通孔である。
また、底面部１２には、図２中に示すように、四箇所の器具側貫通孔１２２が設けられている。
各器具側貫通孔１２２は、底面部１２を貫通する貫通孔であり、それぞれ、底面部１２の長手方向に沿って、後述する吊りボルト孔５２３と対応する位置に配置されている。また、各器具側貫通孔１２２は、後述する電源部２６と重ならない位置に配置されている。
【００１７】
また、各器具側貫通孔１２２の内径は、対応する吊りボルト孔５２３の内径よりも大きい。
各側面部１４は、底面部１２の長辺にそれぞれ連続している。
また、二つの側面部１４間の間隔は、底面部１２から離れた位置ほど広い。
また、各側面部１４は、底面部１２の長手方向に対して平行に配置されている。
【００１８】
各突出部１６は、側面部１４の底面部１２の長辺と連続する側の端部と反対側の端部から突出しており、造営材の居室側の表面（天井面）と接触して、居室内の空間に配置されている。
具体的には、各突出部１６は、側面部１４の底面部１２の長辺と連続する側の端部と反対側の端部から突出して底面部１２の幅方向に沿って突出している。
【００１９】
また、各突出部１６は、側面部１４と連続する側の端部と反対側の端部が折り返して曲げられている。各突出部１６の折り返して曲げられた端部は、天井板Ｂ側へ配置されている。
また、各突出部１６は、白色に形成されている。なお、「白色」とは、「乳白色」を含む。また、突出部１６のうち白色に形成する部分は、少なくとも、居室内の空間に配置される部分であればよい。
【００２０】
また、器具本体１０は、底面部１２と突出部１６との間の主出射方向に沿った距離ＭＲが、２５ｍｍより小さくなるように形成されている。
第一実施形態では、一例として、底面部１２と突出部１６との間の主出射方向に沿った距離ＭＲが、２３ｍｍである場合について説明する。
発光ユニット２０は、器具本体１０に取り付けられており、発光素子２２と、素子基板取付部材２４と、電源部２６と、二つの基板支持部２８を備えている。
発光素子２２は、少なくとも主出射方向へ光を出射可能な素子である。
【００２１】
第一実施形態では、一例として、発光素子２２を、ＬＥＤ（発光ダイオード：Ｌｉｇｈｔ  Ｅｍｉｔｔｉｎｇ  Ｄｉｏｄｅ）からなる発光素子（ＬＥＤ素子）で形成した場合について説明する。
素子基板取付部材２４は、底面部１２と平行に配置した長尺状の板状部材であり、底面部１２と対向する面と反対側の面（図３中では、下面）に、発光素子２２が設けられた素子基板２２０が取り付けられる。
【００２２】
電源部２６は、内部に電源回路を有しており、電源回路から、配線（図示せず）を介して、発光素子２２へ電力を供給する。
また、電源部２６は、素子基板取付部材２４により、素子基板２２０を取り付けた面と反対側の面（図３中では、上面）に支持されている。
【００２３】
各基板支持部２８は、素子基板取付部材２４を支持するとともに、カバー部３０に取り付けられる。
また、各基板支持部２８は、側壁部２８１と、外側対向部２８２と、傾斜連結部２８３を備えている。
側壁部２８１は、素子基板取付部材２４の長辺にそれぞれ連続するとともに、底面部１２から離れる方向へ延在する板状の部材である。
外側対向部２８２は、後述する取付部３４と対向する板状の部材である。
【００２４】
傾斜連結部２８３は、側壁部２８１と外側対向部２８２とを連結するとともに、側壁部２８１から外側対向部２８２へ向かうにつれて、底面部１２から離れる方向へ傾斜する板状の部材である。
また、各基板支持部２８は、基板支持部２８のうち取付部３４と対向する部分と素子基板取付部材２４との間に、空隙部ＳＰが形成される形状に形成されている。
具体的には、側壁部２８１と外側対向部２８２とを、間隔を開けて配置するとともに、傾斜連結部２８３を、側壁部２８１の底面部１２から遠い側の端部（下端部）と外側対向部２８２の底面部１２から遠い側の端部（下端部）とを連続する形状に形成している。
また、各基板支持部２８は、素子基板取付部材２４に取り付けた素子基板２２０の、底面部１２の長手方向から見た天井面を基準とした距離が、天井面から上下方向へ各５ｍｍの範囲内となる形状に形成されている。
【００２５】
なお、第一実施形態では、一例として、各基板支持部２８が、素子基板取付部材２４に取り付けた素子基板２２０の、底面部１２の長手方向から見た天井面を基準とした距離が、天井面から下方へ２ｍｍとなる形状に形成されている場合について説明する。
また、各基板支持部２８は、素子基板取付部材２４で支持した電源部２６が、天井材に設けた取付孔Ｈを含む居室外の空間に配置される形状に形成されている。なお、取付孔Ｈの幅（底面部１２の長手方向から見て、発光素子２２が光を出射可能な主出射方向と直交する方向の長さ。底面部１２の幅方向に沿った長さ）は、例えば、８０ｍｍに設定する。
【００２６】
カバー部３０は、器具本体１０に取り付けられて発光素子２２を覆う部材であり、透光部３２と、二つの取付部３４と、二つの端部カバー３６（図１を参照）を備えている。
また、カバー部３０は、樹脂材料（例えば、ポリカーボネートやポリプロピレン等）を用いて、白色に形成されている。なお、「白色」とは、「乳白色」を含む。
透光部３２は、発光素子２２が出射した光が透過する部材であり、居室内の空間に配置されている。
また、透光部３２は、光拡散性を有している。
また、透光部３２は、主面部３２１と、二つの斜面部３２２を備えている。
主面部３２１は、底面部１２と平行な平面である。
【００２７】
また、底面部１２の長手方向から見た主面部３２１の法線ＮＬは、発光素子２２が光を出射可能な主出射方向と平行である。
各斜面部３２２は、主面部３２１と各取付部３４との間を連結する平面である。
また、各斜面部３２２は、二つの斜面部３２２間の間隔が、底面部１２から離れた位置ほど狭くなるように形成されている。
また、底面部１２の長手方向から見た斜面部３２２の延長線ＴＥＬは、突出部１６よりも発光素子２２から離れた位置を通過している。
【００２８】
また、主面部３２１の延長線ＭＥＬと、斜面部３２２の延長線ＴＥＬとは、底面部１２の長手方向から見て傾斜している。
また、透光部３２は、底面部１２の長手方向から見た主面部３２１と二つの斜面部３２２との境界ＢＬが、発光素子２２（ＬＥＤ素子）が出射した光の照度が、予め設定した照度閾値未満となる位置に配置されるように形成されている。
【００２９】
第一実施形態では、一例として、底面部１２の長手方向から見た主面部３２１と二つの斜面部３２２との境界ＢＬを、底面部１２の長手方向から見た発光素子２２（ＬＥＤ素子）からの出射光が、１２０°となる位置に配置した場合について説明する。
照度閾値は、発光素子２２（ＬＥＤ素子）の性能や形状、大きさ、照明装置２に要求される性能等に応じて設定する値である。
【００３０】
第一実施形態では、一例として、照度閾値を、発光素子２２の直下照度の約８０％になる値に設定した場合について説明する。
各取付部３４は、透光部３２と連続して形成されており、透光部３２を支持するとともに、器具本体１０に取り付けられる。具体的には、二つの取付部３４が、二つの側面部１４のそれぞれに一つずつ固定されて、各取付部３４が、器具本体１０に取り付けられる。
また、各取付部３４は、透光部３２と同様、光拡散性を有している。
また、各取付部３４の一部は、固定される側面部１４と面接触している。具体的には、各取付部３４の透光部３２と連続している側の端部と反対側の端部を含む、各取付部３４の一部が、側面部１４と面接触している。
【００３１】
また、各取付部３４は、二つの取付部３４間の間隔が、底面部１２から離れた位置ほど広くなるように形成されている。
また、各取付部３４は、底面部１２の長手方向に対して平行に配置されている。したがって、各取付部３４と各側面部１４は、共に、底面部１２の長手方向に対して平行に配置されている。
また、各取付部３４の一部、具体的には、各取付部３４のうち、側面部１４と面接触している部分よりも透光部３２側の部分は、居室内の空間に配置されている。
また、図１中に示すように、各取付部３４の、居室内の空間に配置される部分には、締結部材挿通孔３４１が設けられている。
【００３２】
締結部材挿通孔３４１は、取付部３４を貫通する貫通孔であり、その内径は、締結部材４０の頭（頭部）の外径未満であるとともに、締結部材４０の軸（軸部）を挿入可能な値に設定する。
また、各取付部３４の外面の一部、具体的には、各取付部３４のうち、居室内の空間に配置されている部分の、予め設定した位置には、各取付部３４の外面の他の部分よりも摩擦係数が高くなる表面処理を施している。
【００３３】
各取付部３４の外面の他の部分よりも摩擦係数が高くなる表面処理を施す位置は、例えば、カバー部３０を取り外す作業を行う際に、作業員が手で触れてもカバー部３０が破損しにくい部分に設定する。
なお、摩擦係数が高くなる表面処理とは、例えば、ローレット加工等である。また、カバー部３０を取り外す作業を行う際に、作業員が手で触れてもカバー部３０が破損しにくい部分には、摩擦係数が高くなる表面処理を行わずに、指の形状に沿った凹部を形成してもよい。また、指の形状に沿った凹部に、摩擦係数が高くなる表面処理を行ってもよい。
【００３４】
また、各取付部３４の内面の一部、具体的には、各取付部３４のうち、居室内の空間に配置されている部分の、透光部３２と二つの取付部３４で囲まれた空間側の面には、内側第一突出部３４２と、内側第二突出部３４３が形成されている。
内側第一突出部３４２は、各取付部３４の内面の一部うち、外側対向部２８２よりも上側（底面部１２側）の部分から、透光部３２と二つの取付部３４で囲まれた空間側へ突出している。
【００３５】
内側第二突出部３４３は、各取付部３４の内面の一部うち、外側対向部２８２よりも下側（透光部３２側）の部分から、透光部３２と二つの取付部３４で囲まれた空間側へ突出している。
したがって、内側第一突出部３４２及び内側第二突出部３４３は、内側第一突出部３４２と内側第二突出部３４３により、外側対向部２８２の上下方向への変位を規制可能な形状に形成されている。
【００３６】
各端部カバー３６は、図１中に示すように、透光部３２と二つの取付部３４で囲まれた空間のうち、底面部１２の長手方向から見た空隙部を覆う部材である。すなわち、各端部カバー３６は、カバー部３０の、底面部１２の長手方向に沿った両端を覆う部材である。
また、端部カバー３６は、透光部３２及び各取付部３４と同様、光拡散性を有している。
【００３７】
また、隣り合う端部カバー３６同士の底面部１２の長手方向に沿った間隔は、カバー部３０に熱膨張や収縮等の変形が生じていない状態で、３．５ｍｍに設定されている。なお、「隣り合う端部カバー３６」とは、例えば、照明装置２Ｌが備える二つの端部カバー３６のうち照明装置２Ｃに近い側の端部カバー３６と、照明装置２Ｃが備える二つの端部カバー３６のうち照明装置２Ｌに近い側の端部カバー３６である。
締結部材４０は、取付部３４のうち居室内の空間に配置された部分と、基板支持部２８のうち取付部３４と対向する部分を締結して、発光ユニット２０とカバー部３０とを締結する部材である。
【００３８】
第一実施形態では、一例として、締結部材４０を、ドライバー等の工具が嵌合する頭部と、外周面にねじ溝が形成された軸部と、を備えるねじ（雄ねじ）で形成した場合について説明する。
また、締結部材４０は、取付部３４のうち居室内の空間に配置された部分と、基板支持部２８のうち取付部３４と対向する部分を締結した状態で、基板支持部２８のうち取付部３４と対向する部分と素子基板取付部材２４との間に形成された空隙部ＳＰ内に配置されている。
【００３９】
具体的には、締結部材４０の頭部を、取付部３４に設けた締結部材挿通孔３４１内に配置し、締結部材４０の軸部を、空隙部ＳＰ内に配置する。
補強板５０は、図５中に示すように、造営材が形成する居室外の空間に設けられた吊りボルトＨＢに固定されているとともに、器具本体１０を支持する板状の部材である。
また、補強板５０は、例えば、亜鉛メッキ鋼板等の鋼板を用いて形成されている。
また、補強板５０は、平板部５２と、二つの側板部５４を備えている。
平板部５２は、底面部１２の居室側の面と反対側の面と対向する長尺状の板であり、吊りボルト固定部５２１と、器具本体連結部５２２を備えている。
吊りボルト固定部５２１は、平板部５２のうち、吊りボルトＨＢを固定する部分であり、平板部５２を貫通する吊りボルト孔５２３を含んで形成されている。
【００４０】
第一実施形態では、一例として、図２中に示すように、吊りボルト固定部５２１が、五箇所の吊りボルト孔５２３を含んで形成されている場合について説明する。すなわち、第一実施形態では、平板部５２が、四つ以上の吊りボルト孔５２３を含む場合について説明する。
五箇所の吊りボルト孔５２３は、底面部１２の長手方向に沿って配列されている。具体的には、五箇所の吊りボルト孔５２３は、底面部１２の幅方向中心を通過する中心線上において、電源部２６と重ならない位置に、底面部１２の長手方向に沿って配列されている。
【００４１】
なお、図２中では、五箇所の吊りボルト孔５２３のうち、図中で最下方に配置した吊りボルト孔５２３を、「吊りボルト孔５２３Ａ１」と示し、図中で最上方に配置した吊りボルト孔５２３を、「吊りボルト孔５２３Ａ２」と示す。さらに、図２中では、五箇所の吊りボルト孔５２３のうち、吊りボルト孔５２３Ａ１の隣に配置した吊りボルト孔５２３を、「吊りボルト孔５２３Ｂ１」と示し、吊りボルト孔５２３Ａ２の隣に配置した吊りボルト孔５２３を、「吊りボルト孔５２３Ｂ２」と示す。これに加え、図２中では、五箇所の吊りボルト孔５２３のうち、吊りボルト孔５２３Ｂ１と吊りボルト孔５２３Ｂ２との間に配置した吊りボルト孔５２３を、「吊りボルト孔５２３Ｂ３」と示す。
また、以降の説明でも、五箇所の吊りボルト孔５２３を、「吊りボルト孔５２３Ａ１」、「吊りボルト孔５２３Ａ２」、「吊りボルト孔５２３Ｂ１」、「吊りボルト孔５２３Ｂ２」、「吊りボルト孔５２３Ｂ３」と記載する場合がある。
【００４２】
また、第一実施形態では、一例として、吊りボルト孔５２３Ａ１と吊りボルト孔５２３Ａ２との底面部１２の長手方向に沿った間隔ＩｎｔＡを、吊りボルト孔５２３Ｂ１と吊りボルト孔５２３Ｂ３との底面部１２の長手方向に沿った間隔ＩｎｔＢよりも長く設定した場合について説明する。すなわち、第一実施形態では、四つ以上の吊りボルト孔５２３のうち二組が、底面部１２の長手方向に沿った間隔Ｉｎｔが互いに異なる場合について説明する。
間隔ＩｎｔＡと、間隔ＩｎｔＢは、例えば、照明機器１を設置する建築物の特性（建築構造、建築場所の環境、建築時期等）に応じて、互いに異なる値に設定する。
各吊りボルト孔５２３の内径ＩＤＢは、吊りボルトＨＢの直径以上の値に設定する。
平板部５２と底面部１２との間には、吊りボルトＨＢに締結可能なナット６０を、回転可能に配置している。
【００４３】
ナット６０は、例えば、六角ナットで形成し、その外径を、器具側貫通孔１２２の内径ＩＤＣ未満であるとともに、吊りボルト孔５２３の内径ＩＤＢよりも大きい値に設定する。そして、ナット６０を平板部５２の底面部１２と対向する側の面から吊りボルトＨＢに締結することにより、吊りボルトＨＢに補強板５０を固定している。
器具本体連結部５２２は、平板部５２のうち、底面部１２を取り付ける部分であり、吊りボルト固定部５２１と異なる位置に配置されている。具体的には、器具本体連結部５２２は、平板部５２を貫通する貫通孔であり、底面部１２に設けられた補強板連結ボルト孔１２１と対応する位置に配置されている。
【００４４】
また、底面部１２と平板部５２は、補強板連結ボルト５２４と補強板連結ナット５２５を用いて連結する。具体的には、補強板連結ボルト孔１２１と器具本体連結部５２２を連通させた状態で、補強板連結ボルト孔１２１及び器具本体連結部５２２内に配置した補強板連結ボルト５２４に補強板連結ナット５２５を嵌合させて回転させ、底面部１２と平板部５２を接触させる。なお、図３中では、説明のために、図中で右側に配置した補強板連結ボルト孔１２１と器具本体連結部５２２には、補強板連結ボルト５２４を配置していない。
二つの側板部５４は、平板部５２の長辺にそれぞれ連続し、且つ側面部１４と対向して居室内の空間側へ延在する。
【００４５】
また、各側板部５４は、平板部５２の長辺と連続する側と反対側の端部が折り返して曲げられている。各側板部５４の折り返して曲げられた端部は、側面部１４側へ配置されている。
以上説明したように、器具本体１０は、底面部１２と、二つの側面部１４と、突出部１６を含んで構成されており、二つの側面部１４には、カバー部３０の一部を構成する二つの取付部３４が、それぞれ固定される。
また、器具本体１０は、底面部１２と、二つの側面部１４と、突出部１６を含んで構成されている。そして、底面部１２には、吊りボルトＨＢに固定される補強板５０が、吊りボルトＨＢと異なる位置で取り付けられ、二つの側面部１４には、カバー部３０の一部を構成する二つの取付部３４が、それぞれ固定される。
【００４６】
（照明機器１の設置）
次に、図１から図５を参照して、第一実施形態の照明機器１を設置する手順を説明する。
照明機器１を設置する際には、まず、各照明装置２が備える器具本体１０に、それぞれ、補強板５０を取り付ける。
ここで、照明装置２Ｌが備える器具本体１０には、予め、側端カバー４Ｌを取り付けておく。同様に、照明装置２Ｒが備える器具本体１０には、予め、側端カバー４Ｒを取り付けておく。
そして、突出部１６及び鍔部６を、天井面と対向させた状態で、補強板５０を取り付けた器具本体１０を、取付孔Ｈ内へ下方から挿入する。さらに、ナット６０を、平板部５２の底面部１２と対向する側の面から吊りボルトＨＢに嵌合させて回転させ、突出部１６及び鍔部６を天井板Ｂに接触させる。これにより、補強板５０を取り付けた器具本体１０を、天井材に取り付ける。
【００４７】
なお、一般的な建築物では、図５中に示すように、天井空間内には、梁を形成するリップ溝形鋼７０（Ｃチャンネル）が配置されている。
リップ溝形鋼７０は、天井板Ｂと平行に延在する断面がコの字型の柱状部材であり、建築物の躯体（スラブ）に固定されたボルトやハンガー等を含むＣチャンネル支持部材８０によって、上方から支持されている。
【００４８】
また、一般的な建築物では、リップ溝形鋼７０と天井板Ｂとの間の距離は、３０ｍｍ前後に設定されている。
したがって、例えば、底面部１２と突出部１６との間の主出射方向に沿った距離が、３５ｍｍである場合、すなわち、底面部１２と突出部１６との間の主出射方向に沿った距離が、リップ溝形鋼７０と天井板Ｂとの間の距離よりも大きい場合には、以下の工程が必要となる。
【００４９】
まず、リップ溝形鋼７０のうち、補強板５０を取り付けた器具本体１０と干渉する部分を切断する。そして、リップ溝形鋼７０のうち切断後に残された部分に対し、リップ溝形鋼７０のうち切断後に残された部分同士を連結する補強材を取り付ける。その後、補強板５０を取り付けた器具本体１０を、天井材に取り付ける。
これに対し、第一実施形態では、上述したように、底面部１２と突出部１６との間の主出射方向に沿った距離ＭＲが、２３ｍｍである。
【００５０】
したがって、補強板５０を取り付けた器具本体１０を取付孔Ｈ内へ挿入し、突出部１６及び鍔部６を天井板Ｂに接触させても、底面部１２がリップ溝形鋼７０と接触することが防止されている。
すなわち、第一実施形態では、底面部１２と、側面部１４の一部は、居室外の空間において、居室外の空間に設けられた梁を形成するリップ溝形鋼７０よりも、居室側に配置されている。
【００５１】
したがって、第一実施形態では、補強板５０を取り付けた器具本体１０を天井材に取り付ける際に、リップ溝形鋼７０を切断することなく、突出部１６及び鍔部６が天井板Ｂに接触するまで、補強板５０を取り付けた器具本体１０を取付孔Ｈ内へ挿入することが可能となる。
また、突出部１６及び鍔部６が天井板Ｂに接触した状態で、吊りボルトＨＢに嵌合させたナット６０を回転させた場合、吊りボルトＨＢに対するナット６０の締付トルクが、規定値を超えると、ナット６０が接触する部分が変形する可能性がある。なお、締付トルクの規定値とは、例えば、０．７Ｎ・ｍ以上１．０Ｎ・ｍ以下の範囲内である。
【００５２】
これに対し、第一実施形態では、上述したように、器具本体１０に補強板５０を取り付けているとともに、ナット６０の外径を、器具側貫通孔１２２の内径ＩＤＣ未満であるとともに、吊りボルト孔５２３の内径ＩＤＢよりも大きい値に設定している。
したがって、突出部１６及び鍔部６が天井板Ｂに接触した状態で、吊りボルトＨＢに対するナット６０の締付トルクが規定値を超えて、ナット６０を回転させても、補強板５０及び器具本体１０のうち、まず、補強板５０のみが変形する。そして、補強板５０のみが変形した時点でナット６０の回転を止めることにより、器具本体１０の変形を防止することが可能となる。
【００５３】
なお、補強板５０を取り付けた器具本体１０を天井材に取り付ける際には、各照明装置２が備える器具本体１０を個別に天井材に取り付けてもよく、また、各照明装置２が備える器具本体１０を連結した状態で、これらの連結した器具本体１０をまとめて天井材に取り付けてもよい。
上記の手順により、補強板５０を取り付けた器具本体１０を天井材に取り付けた後、締結部材４０を用いて締結した発光ユニット２０とカバー部３０を、器具本体１０に取り付ける。これにより、照明機器１の設置を終了する。
【００５４】
なお、発光ユニット２０とカバー部３０を、器具本体１０に取り付ける際には、建築物に設けられた電力供給用のコネクタ（図示せず）を、電源部２６に接続する。そして、器具本体１０に既設のバネ部（図示せず）により発光ユニット２０を支持して、発光ユニット２０とカバー部３０を、器具本体１０に取り付ける。
ここで、第一実施形態では、上述したように、発光ユニット２０とカバー部３０を、締結部材４０を用いて締結した状態で、器具本体１０に取り付ける。
【００５５】
このため、照明機器１を設置する作業や、照明機器１を設置した後においても、発光ユニット２０からのカバー部３０の脱落を防止することが可能となる。
これに加え、締結部材４０の頭部を、取付部３４のうち居室内の空間に配置された部分に設けた締結部材挿通孔３４１内に配置した状態で、発光ユニット２０とカバー部３０を、締結部材４０を用いて締結している。
【００５６】
このため、照明機器１を設置した状態であっても、締結部材４０の頭部は、居室内の空間に配置されることとなる。これにより、例えば、経時的な変化により、締結部材４０が緩んだ場合等に、照明機器１を設置した状態であっても、発光ユニット２０とカバー部３０との締結作業を行うことが可能となる。
なお、上述した第一実施形態は、本発明の一例であり、本発明は、上述した第一実施形態に限定されることはなく、この実施形態以外の形態であっても、本発明に係る技術的思想を逸脱しない範囲であれば、設計等に応じて種々の変更が可能である。
【００５７】
（第一実施形態の効果）
第一実施形態では、以下に記載する効果を奏することが可能となる。
（１）底面部１２が、造営材が形成する居室外の空間に配置され、突出部１６が、造営材の居室側の表面と接触して居室内の空間に配置される。これに加え、二つの取付部３４が、二つの側面部１４のそれぞれに一つずつ固定され、透光部３２が、居室内の空間に配置される。
その結果、発光素子２２を覆うカバー部３０が備える透光部３２の周囲に、発光素子２２が照射した光を反射する反射板を設ける必要が無いため、部品点数の増加を抑制することが可能となる。
【００５８】
（２）各取付部３４の透光部３２と連続している側の端部と反対側の端部を含む、各取付部３４の一部が、側面部１４と面接触している。
その結果、取付部３４と側面部１４との間に隙間が形成されることを防止して、取付部３４と側面部１４との間から埃や虫等の異物が侵入することを抑制することが可能となる。
【００５９】
（３）二つの取付部３４間の間隔が、底面部１２から離れた位置ほど広い。
その結果、発光ユニット２０とカバー部３０を、器具本体１０から取り外す作業を容易とすることが可能となる。
（４）各取付部３４と各側面部１４が、共に、底面部１２の長手方向に対して平行に配置されている。
その結果、照明装置２の外観を、被取付面に沿った外観とすることが可能となる。
【００６０】
（５）二つの側面部１４間の間隔が、底面部１２から離れた位置ほど広い。
その結果、器具本体１０を、取付孔Ｈ内へ下方から挿入する作業が容易となる。
（６）主面部３２１の延長線ＭＥＬと、斜面部３２２の延長線ＴＥＬとが、底面部１２の長手方向から見て傾斜している。
その結果、カバー部３０の形状を、鈍角で折れ曲がる複数の面で形成された形状とすることが可能となり、意匠性が向上する。
【００６１】
（７）底面部１２の長手方向から見た主面部３２１の法線ＮＬが、主出射方向と平行である。
その結果、発光素子２２から出射された光が、主面部３２１へ直進して入射するため、主面部３２１を透過した光の輝度・照度の低下を、抑制することが可能となる。
（８）二つの斜面部３２２間の間隔が、底面部１２から離れた位置ほど狭い。
その結果、発光素子２２から出射されて斜面部３２２へ入射した光を、主面部３２１を透過した光に対して傾斜させて透過させることが可能となる。
【００６２】
（９）底面部１２の長手方向から見た主面部３２１と二つの斜面部３２２との境界ＢＬを、発光素子２２（ＬＥＤ素子）が出射した光の照度が、照度閾値未満となる位置に配置する。
その結果、ＬＥＤ素子が出射した光の照度が低下する位置に、境界ＢＬを配置することが可能となるため、居室内の空間に存在する人員に対し、ＬＥＤ素子が出射した光の照度の視覚的な低下を、抑制することが可能となる。
【００６３】
（１０）底面部１２の長手方向から見た斜面部３２２の延長線ＴＥＬが、突出部１６よりも発光素子２２から離れた位置を通過する。
その結果、居室内の空間に存在する人員が下方から照明装置２を視認した際に、突出部１６を視認可能な範囲を減少させることが可能となるため、照明装置２の外観を、カバー部３０のデザインを主とした外観とすることが可能となる。
（１１）各取付部３４の一部、具体的には、各取付部３４のうち、側面部１４と面接触している部分よりも透光部３２側の部分を、居室内の空間に配置する。
その結果、カバー部３０を、器具本体１０から取り外す作業を容易とすることが可能となる。
【００６４】
（１２）底面部１２と、側面部１４の一部を、居室外の空間において、居室外の空間に設けられたリップ溝形鋼７０（Ｃチャンネル）よりも、居室側に配置する。
その結果、補強板５０を取り付けた器具本体１０を天井材に取り付ける際に、リップ溝形鋼７０を切断することなく、突出部１６及び鍔部６が天井板Ｂに接触するまで、補強板５０を取り付けた器具本体１０を取付孔Ｈ内へ挿入することが可能となる。
【００６５】
これにより、照明機器１の設置作業において、リップ溝形鋼７０を切断する工程が不必要となり、作業工程を簡略化することが可能となるため、作業負荷の増加を抑制することが可能となる。これに加え、照明機器１の設置作業において、作業コストの増加を抑制することが可能となる。
また、照明機器１の設置作業において、補強材を設置する工程が不必要となり、作業工程を簡略化することが可能となるため、作業負荷の増加を抑制することが可能となる。これに加え、照明機器１の設置作業において、作業コストの増加を抑制することが可能となる。
【００６６】
（１３）底面部１２と突出部１６との間の主出射方向に沿った距離ＭＲを、２５ｍｍより小さくする。
その結果、一般的な建築物に対する照明機器１の設置作業において、補強板５０を取り付けた器具本体１０を取付孔Ｈ内へ挿入し、突出部１６及び鍔部６を天井板Ｂに接触させても、底面部１２とリップ溝形鋼７０（Ｃチャンネル）との接触を防止することが可能となる。
【００６７】
（１４）基板支持部２８のうち、取付部３４と対向する部分と素子基板取付部材２４との間に、空隙部ＳＰを形成する。
その結果、器具本体１０にカバー部３０を取り付けて形成した空間内に確保した、配線等を収容可能な収容空間の容積を増加させることが可能となる。
（１５）カバー部３０が、底面部１２の長手方向に沿った両端をそれぞれ覆う二つの端部カバー３６を備える。
その結果、透光部３２と二つの取付部３４で囲まれた空間のうち、底面部１２の長手方向から見た空隙部を覆うことが可能となる。これにより、透光部３２と二つの取付部３４で囲まれた空間のうち、底面部１２の長手方向から見た空隙部から、埃や虫等の異物が侵入することを抑制することが可能となる。
【００６８】
（１６）端部カバー３６が、光拡散性を有する。
その結果、発光素子２２から出射されて端部カバー３６へ入射した光を、居室内へ効率的に拡散させることが可能となる。
（１７）カバー部３０全体を、白色に形成する。
その結果、発光素子２２から出射されてカバー部３０へ入射して居室内へ透過する光に対し、照度・輝度の減衰を抑制することが可能となる。
（１８）突出部１６を、白色に形成する。
その結果、発光素子２２から出射されてカバー部３０へ入射して居室内へ透過する光を、突出部１６によって効率的に反射させることが可能となる。
【００６９】
（１９）照明装置１が、複数連結された器具本体１０の底面部１２の長手方向に沿った両端をそれぞれ覆う二つの側端カバー４を備える。
その結果、照明装置２を、底面部１２の長手方向に複数連結した照明機器１において、照明機器１の両端に配置された照明装置２が含む開口を、二つの側端カバー４で覆うことにより、単独の照明装置２よりも長尺の照明機器１を形成することが可能となる。
これにより、照明機器１の両端に配置された照明装置２と、照明機器１の中央に配置された照明装置２とを作り分ける必要が無く、単独の照明装置２よりも長尺の照明機器１を形成することが可能となる。このため、照明機器１の製造コストが増加することを抑制することが可能となる。
【００７０】
（２０）側端カバー４が、器具本体１０の開口を覆う状態で底面部１２の長手方向に沿った照明機器１の両端から突出し、且つ居室側の表面と接触して居室内の空間に配置される鍔部６を備える。これに加え、側端カバー４のうち少なくとも鍔部６を、白色に形成する。
その結果、発光素子２２から出射されてカバー部３０へ入射して居室内へ透過する光を、鍔部６によって効率的に反射させることが可能となる。
【００７１】
（２１）器具本体１０が、底面部１２と、二つの側面部１４と、突出部１６を備え、二つの側面部１４には、カバー部３０の一部を構成する二つの取付部３４がそれぞれ固定される。
その結果、発光素子２２を覆うカバー部３０が備える透光部３２の周囲に、発光素子２２が照射した光を反射する反射板を設ける必要が無いため、部品点数の増加を抑制することが可能となる。
【００７２】
（２２）底面部１２が、造営材が形成する居室外の空間に配置され、突出部１６が、造営材の居室側の表面と接触して居室内の空間に配置される。これに加え、二つの取付部３４が、二つの側面部１４のそれぞれに一つずつ固定され、透光部３２が、居室内の空間に配置される。
さらに、発光ユニット２０とカバー部３０とを締結する締結部材４０が、取付部３４のうち居室内の空間に配置された部分と、基板支持部２８のうち取付部３４と対向する部分を締結する。
【００７３】
その結果、照明機器１を設置する作業や、照明機器１を設置した後においても、発光ユニット２０からのカバー部３０の脱落を防止することが可能となる。
これに加え、締結部材４０の頭部を、取付部３４のうち居室内の空間に配置された部分に設けた締結部材挿通孔３４１内に配置した状態で、発光ユニット２０とカバー部３０を、締結部材４０を用いて締結している。
このため、照明機器１を設置した状態であっても、締結部材４０の頭部は、居室内の空間に配置されることとなる。これにより、例えば、経時的な変化により、締結部材４０が緩んだ場合等に、照明機器１を設置した状態であっても、発光ユニット２０とカバー部３０との締結作業を行うことが可能となる。
【００７４】
（２３）締結部材４０を、ねじ（雄ねじ）で形成する。
その結果、ドライバー等の一般的で簡易な手工具を用いて、締結部材４０により、発光ユニット２０とカバー部３０とを締結することが可能となる。
（２４）基板支持部２８のうち取付部３４と対向する部分と素子基板取付部材２４との間に形成した空隙部ＳＰ内に、締結部材４０を配置する。具体的には、締結部材４０の頭部を、取付部３４に設けた締結部材挿通孔３４１内に配置し、締結部材４０の軸部を、空隙部ＳＰ内に配置する。
その結果、器具本体１０にカバー部３０を取り付けて形成した空間のうち、素子基板取付部材２４よりも底面部１２側の空間である、電源部２６等を配置する空間の容積が、締結部材４０により減少することを、抑制することが可能となる。
【００７５】
（２５）基板支持部２８が、素子基板取付部材２４の長辺にそれぞれ連続し、且つ底面部１２から離れる方向へ延在する側壁部２８１と、取付部３４と対向する外側対向部２８２と、側壁部２８１と外側対向部２８２とを連結し、且つ側壁部２８１から外側対向部２８２へ向かうにつれて底面部１２から離れる方向へ傾斜する傾斜連結部２８３を備える。
その結果、連続する板状の部材により、空隙部ＳＰを確保可能な形状の基板支持部２８を形成することが可能となる。
（２６）発光素子２２を、ＬＥＤ素子で形成する。
その結果、耐久性及び経済性に優れた照明装置２を提供することが可能となる。
【００７６】
（２７）底面部１２が、造営材が形成する居室外の空間に配置され、突出部１６が、造営材の居室側の表面と接触して居室内の空間に配置される。これに加え、二つの取付部３４が、二つの側面部１４のそれぞれに一つずつ固定され、透光部３２が、居室内の空間に配置される。
さらに、居室外の空間に設けられた吊りボルトＨＢに固定され、且つ器具本体１０を支持する補強板５０が、底面部１２の居室側の面と反対側の面と対向する長尺状の平板部５２を備える。これに加え、平板部５２が、吊りボルトＨＢを固定する吊りボルト固定部５２１と、吊りボルト固定部５２１と異なる位置に配置され、且つ底面部１２を取り付ける器具本体連結部５２２を備える。
【００７７】
その結果、突出部１６及び鍔部６が天井板Ｂに接触した状態で、吊りボルトＨＢに対するナット６０の締付トルクが規定値を超えて、ナット６０を回転させても、補強板５０及び器具本体１０のうち、まず、補強板５０のみが変形する。そして、補強板５０のみが変形した時点でナット６０の回転を止めることにより、器具本体１０の変形を防止することが可能となる。
【００７８】
（２８）底面部１２に設けた、吊りボルト孔５２３と対応する位置を貫通する、器具側貫通孔１２２の内径ＩＤＣを、吊りボルト孔５２３の内径ＩＤＢよりも大きくする。これに加え、器具側貫通孔１２２の内径ＩＤＣ未満の外径であるナット６０を、平板部５２の底面部１２と対向する側の面から吊りボルトＨＢに締結して、吊りボルトＨＢに補強板５０を固定する。
その結果、吊りボルトＨＢに嵌合させたナット６０が、器具本体１０に干渉しない構成を実現することが可能となる。
【００７９】
（２９）ナット６０の外径が、吊りボルト孔５２３の内径ＩＤＢよりも大きい。
その結果、吊りボルトＨＢに嵌合させたナット６０により、補強板５０及び器具本体１０のうち、補強板５０のみを支持する構成を実現することが可能となる。
（３０）吊りボルト孔５２３の内径ＩＤＢを、吊りボルトＨＢの直径以上とする。
その結果、吊りボルトＨＢを吊りボルト孔５２３へ容易に挿通させることが可能となる。
【００８０】
（３１）平板部５２が、複数の吊りボルト孔５２３を含む。これに加え、底面部１２に、複数の吊りボルト孔５２３とそれぞれ対応する位置を貫通する複数の器具側貫通孔１２２を設ける。
その結果、補強板５０の構成を、複数の吊りボルトＨＢに補強板５０を固定する構成とすることが可能となる。
【００８１】
（３２）平板部５２が、四つ以上の吊りボルト孔５２３を含む。これに加え、四つ以上の吊りボルト孔５２３のうち少なくとも二組が、底面部１２の長手方向に沿った間隔が互いに異なる。
その結果、間隔の異なる二つ一組の吊りボルトＨＢのペアに対し、対応する吊りボルト孔５２３の組を用いて、吊りボルトＨＢに補強板５０を固定することが可能となる。
（３３）補強板５０が、平板部５２の長辺にそれぞれ連続し、且つ側面部１４と対向して居室内の空間側へ延在する二つの側板部５４を備える。
その結果、側板部５４により、平板部５２の厚さ方向に沿った曲げ剛性を向上させることが可能となる。
【００８２】
（３４）器具本体１０が、底面部１２と、二つの側面部１４と、突出部１６を備える。これに加え、底面部１２には、居室外の空間に設けられた吊りボルトＨＢに固定される補強板５０が、吊りボルトＨＢと異なる位置で取り付けられる。さらに、二つの側面部１４には、カバー部３０の一部を構成する二つの取付部３４がそれぞれ固定される。
その結果、突出部１６及び鍔部６が天井板Ｂに接触した状態で、吊りボルトＨＢに対するナット６０の締付トルクが規定値を超えて、ナット６０を回転させても、補強板５０及び器具本体１０のうち、まず、補強板５０のみが変形する。そして、補強板５０のみが変形した時点でナット６０の回転を止めることにより、器具本体１０の変形を防止することが可能となる。
【００８３】
（変形例）
（１）第一実施形態では、カバー部３０の構成を、カバー部３０全体、すなわち、透光部３２、取付部３４及び端部カバー３６が、光拡散性を有している構成としたが、これに限定するものではない。すなわち、カバー部３０の構成を、例えば、カバー部３０のうち、少なくとも透光部３２のみが、光拡散性を有している構成としてもよい。
この場合、カバー部３０全体が光拡散性を有している構成と比較して、カバー部３０の光拡散性を付与する加工・作業の負荷を減少させることが可能となる。
【００８４】
（２）第一実施形態では、発光素子２２をＬＥＤ素子で形成したが、これに限定するものではない。すなわち、発光素子２２を、例えば、有機ＥＬ（Ｅｌｅｃｔｒｏ  Ｌｕｍｉｎｅｓｃｅｎｃｅ）素子や無機ＥＬ素子等、ＬＥＤ素子以外で形成してもよい。
（３）第一実施形態では、締結部材４０を、ねじ（雄ねじ）で形成したが、これに限定するものではない。すなわち、締結部材４０の代わりに、例えば、カバー部３０に開口部を形成し、この開口部と基板支持部２８の一部とを加締めて、取付部３４と基板支持部を締結する構成を備えてもよい。
【００８５】
（４）第一実施形態では、三個の照明装置２を連結して構成した照明機器１について説明したが、照明機器１の構成は、これに限定するものではなく、照明機器１は、一個のみの照明装置２で構成されていてもよい。
この場合、一つの器具本体１０の底面部１２の長さ方向に沿った両端は、同一形状で開口している。そして、一つの器具本体１０の底面部１２の長さ方向に沿った両端には、この両端の開口を覆う二つの側端カバー４が設けられる。この構成は、例えば、居室が狭く、照明装置２を複数連結する必要がない場合に好適である。
【符号の説明】
【００８６】
１…照明機器、２…照明装置、４…側端カバー、６…鍔部、１０…器具本体、１２…底面部、１２１…補強板連結ボルト孔、１２２…器具側貫通孔、１４…側面部、１６…突出部、２０…発光ユニット、２２…発光素子、２２０…素子基板、２４…素子基板取付部材、２６…電源部、２８…基板支持部、２８１…側壁部、２８２…外側対向部、２８３…傾斜連結部、３０…カバー部、３２…透光部、３２１…主面部、３２２…斜面部、３４…取付部、３４１…締結部材挿通孔、３４２…内側第一突出部、３４３…内側第二突出部、３６…端部カバー、４０…締結部材、５０…補強板、５２…平板部、５２１…吊りボルト固定部、５２２…器具本体連結部、５２３…吊りボルト孔、５２４…補強板連結ボルト、５２５…補強板連結ナット、５４…側板部、６０…ナット、７０…リップ溝形鋼、８０…Ｃチャンネル支持部材、Ｂ…天井板、ＳＰ…空隙部、Ｈ…取付孔、ＴＥＬ…斜面部３２２の延長線、ＭＥＬ…主面部３２１の延長線、ＢＬ…底面部１２の長手方向から見た主面部３２１と二つの斜面部３２２との境界、ＨＢ…吊りボルト、ＩｎｔＡ…吊りボルト孔５２３Ａ１と吊りボルト孔５２３Ａ２との底面部１２の長手方向に沿った間隔、ＩｎｔＢ…吊りボルト孔５２３Ｂ１と吊りボルト孔５２３Ｂ３との底面部１２の長手方向に沿った間隔
【図１】
2016131101.tif 000003
【図２】
2016131101.tif 000004
【図３】
2016131101.tif 000005
【図４】
2016131101.tif 000006
【図５】
2016131101.tif 000007